Podtech/llm-jp-corpus-v4-ja_patent huggingface dataset:
【手続補正書】
【提出日】平成19年1月12日(2007.1.12)
【手続補正１】
【補正対象書類名】明細書
【補正対象項目名】請求項１
【補正方法】変更
【補正の内容】
【請求項１】  ｎ−ブタンから無水マレイン酸を製造する方法であって、分子状酸素含有ガスとｎ−ブタン０．５〜３体積％との混合物を第１反応器において無水マレイン酸の生成に効果的な条件で反応させること、第１反応器からの反応ガス混合物を洗い落として残存する反応ガス混合物の成分から無水マレイン酸相当物を回収すること、前記無水マレイン酸相当物を含有するスクラバ液を分離すること、前記残存する反応ガス混合物の成分にｎ−ブタンを添加すること、および得られるガス混合物を第２反応器において無水マレイン酸の生成に効果的な条件で反応させることを含む方法。
【手続補正２】
【補正対象書類名】明細書
【補正対象項目名】００３６
【補正方法】変更
【補正の内容】
【００３６】
【表１】
2003507464.tif 000001
【手続補正３】
【補正対象書類名】明細書
【補正対象項目名】００３７
【補正方法】変更
【補正の内容】
【００３７】
【表２】
2003507464.tif 000002
【手続補正４】
【補正対象書類名】明細書
【補正対象項目名】００３８
【補正方法】変更
【補正の内容】
【００３８】
【表３】
2003507464.tif 000003
実施例２
この実施例は、添付図面に示した直列２反応器系の第１反応器で、分子状酸素含有ガスとして酸素に富んだ空気を用いた本発明の実施形態を例示する。
【手続補正書】
【提出日】平成19年2月27日(2007.2.27)
【手続補正１】
【補正対象書類名】明細書
【補正対象項目名】特許請求の範囲
【補正方法】変更
【補正の内容】
【特許請求の範囲】
【請求項１】  （ａ）生物作用物質；ならびに
（ｂ）リン脂質またはリン脂質の組合せ、
を含んでなる薬物放出調節用粒子であって、該粒子からの生物作用物質の標的放出速度に対応したマトリックス転移温度、ならびに約０．４ｇ／ｃｍ3 未満のタップ密度を有する粒子。
【請求項２】  約５ミクロンから約３０ミクロンの平均幾何学直径を有する請求項１記載の粒子。
【請求項３】  約１ミクロンから約５ミクロンの空気力学的直径を有する請求項１記載の粒子。
【請求項４】  多糖類、糖類、アミノ酸、ポリマー、タンパク質、脂質、界面活性剤、コレステロール、脂肪酸、脂肪酸エステルおよびそれらの任意の組合せからなる群より選ばれる化合物をさらに含んでなる請求項１記載の粒子。
【請求項５】  生物作用物質が粒子中に少なくとも０．１重量％の量で存在する請求項１記載の粒子。
【請求項６】  生物作用物質が硫酸アルブテロール、硫酸エストロン、タンパク質、またはペプチドである請求項１記載の粒子。
【請求項７】  生物作用物質が親水性であるか、または疎水性である請求項１記載の粒子。
【請求項８】  リン脂質またはリン脂質の組合せが粒子中に約５から約９９重量％の量で存在する請求項１記載の粒子。
【請求項９】  マトリックス転移温度が被験体の生理学的温度未満であるか、該温度に等しいか、または該温度より高い、請求項１記載の粒子。
【請求項１０】  治療、予防または診断の必要のある患者の肺系を介して請求項１に記載の粒子の有効量を送達する工程を含む方法に使用するための医薬の製造における該粒子の使用。
【請求項１１】  治療、予防または診断の必要のある患者の気道に生物作用物質の所定の放出速度を有する粒子の有効量を投与する工程を含む、肺系を介する送達方法に使用するための医薬の製造における粒子の使用であって、該粒子が：
（ａ）生物作用物質；ならびに
（ｂ）リン脂質またはリン脂質の組合せ；
を含んでなり、該粒子からの治療薬、予防薬または診断薬の標的放出速度に対応したマトリックス転移温度、ならびに約０．４ｇ／ｃｍ3 未満のタップ密度を有するものである、使用。
【請求項１２】  粒子が約５ミクロンから約３０ミクロンの平均幾何学直径を有するものである請求項１１記載の使用。
【請求項１３】  粒子が約１から５ミクロンの空気力学的直径を有するものである請求項１１記載の使用。
【請求項１４】  送達が主として深肺、中心気道、または上気道へのものである請求項１１記載の使用。
【請求項１５】  粒子が、多糖類、糖類、アミノ酸、ポリマー、脂質、界面活性剤、コレステロール、脂肪酸、脂肪酸エステル、タンパク質、ペプチド、シクロデキストリン、およびそれらの任意の組合せからなる群より選ばれる化合物をさらに含んでなるものである、請求項１１記載の使用。
【請求項１６】  生物作用物質が粒子中に少なくとも０．１重量％の量で存在する請求項１１記載の使用。
【請求項１７】  生物作用物質が硫酸アルブテロール、硫酸エストロン、タンパク質、およびペプチドからなる群より選ばれるものである請求項１１記載の使用。
【請求項１８】  生物作用物質が親水性であるか、または疎水性である請求項１１記載の使用。
【請求項１９】  リン脂質またはリン脂質の組合せが粒子中に約５から約９９重量％の量で存在する請求項１１記載の使用。
【請求項２０】  マトリックス転移温度が被験体の生理学的温度未満であるか、該温度に等しいか、または該温度より高い、請求項１１記載の使用。
【請求項２１】  投与が乾燥粉末吸入器を介するものである請求項１１記載の使用。
【請求項２２】 （ａ）治療薬、予防薬または診断薬、あるいはそれらの組合せ；ならびに
（ｂ）粒子が標的放出速度を有するようなマトリックス転移温度をもたらすリン脂質またはリン脂質の組合せ；
を含んでなる約０．４ｇ／ｃｍ3 未満のタップ密度を有する粒子の有効量を、治療、予防または診断の必要のある患者の呼吸器系に投与する工程を含む、粒子からの治療薬、予防薬または診断薬の標的放出速度を有する粒子の肺系を介する送達方法に使用するための医薬の製造における該粒子の使用。
【請求項２３】  （ａ）治療薬、予防薬または診断薬；ならびに
（ｂ）リン脂質の組合せ；
を含んでなる、患者の生理学的温度より高いマトリックス転移温度、ならびに約０．４ｇ／ｃｍ3 未満のタップ密度を有する粒子の有効量を、治療、予防または診断の必要のある患者に投与する工程を含む、治療薬、予防薬または診断薬の放出時間の増大方法に使用するための医薬の製造における粒子の使用。
【請求項２４】  約０．４ｇ／ｃｍ3 未満のタップ密度を有する、治療薬、予防薬または診断薬の放出時間の増大用粒子であって、
（ａ）治療薬、予防薬または診断薬；ならびに
（ｂ）該粒子のマトリックス転移温度がヒトまたは家畜被験体の体温より高くなるような相転移温度を有するリン脂質の組合せ、
を含んでなる、粒子。
【手続補正２】
【補正対象書類名】明細書
【補正対象項目名】００１６
【補正方法】変更
【補正の内容】
【００１６】
前記粒子は、喘息、慢性閉塞性肺疾患（ＣＯＰＤ）、気腫、または嚢胞性線維症の治療のための薬剤などの肺の内部への局所送達のための生物作用物質、または全身治療のための生物作用物質を含みうる。たとえば、嚢胞性線維症などの疾患の治療のための遺伝子を、喘息のためのβ作用物質ステロイド、抗コリン作動性薬剤、およびロイコトリエン修飾因子と同じように、投与することができる。他の特異的治療薬としては、限定されないが、インスリン、カルシトニン、黄体ホルモン放出ホルモン（leuteinizing hormone releasing hormone）〔もしくは、ゴナドトロピン放出ホルモン（「ＬＨＲＨ」）〕、顆粒球コロニー刺激因子（「Ｇ−ＣＳＦ」）、上皮小体ホルモン関連ペプチド、ソマトスタチン、テストステロン、プロゲステロン、エストラジオール、ニコチン、フェンタニール、ノルエチステロン、クロニジン、スコポラミン、サリチル酸塩、クロモリンナトリウム、サルメテロール、ホルメテロール、硫酸エストロン、およびバリウム（ｖａｌｉｕｍ）が挙げられる。
【手続補正書】
【提出日】平成19年6月7日(2007.6.7)
【手続補正１】
【補正対象書類名】明細書
【補正対象項目名】特許請求の範囲
【補正方法】変更
【補正の内容】
【特許請求の範囲】
【請求項１】  （ａ）水不溶性基質、
（ｂ）（ｉ）アルファ−ヒドロキシカルボン酸、
（ｉｉ）シリコーンミクロエマルジョン、
（ｉｉｉ）水中でｐＨ約６．５以下を有する組成物
を含む前記基質に浸透する化粧用組成物
を含むタオル製品。
【請求項２】  （ａ）水不溶性基質、
（ｂ）（ｉ）アルファケト酸と関連するヒドロキシ酸の重合体化合物、
（ｉｉ）シリコーンミクロエマルジョン、
（ｉｉｉ）  水中でｐＨ約６．５以下を有する組成物
を含む前記基質に浸透する化粧用組成物
を含むタオル製品。
【請求項３】  ベーターヒドロキシカルボン酸をさらに含む請求項１または２に記載のタオル製品。
【請求項４】  アルファ−ヒドロキシカルボン酸がグリコール酸、乳酸、ヒドロキシオクタン酸およびそれらの混合物から成る群から選択された請求項１に記載のタオル製品。
【請求項５】  化粧組成物のｐＨが約２．０から約６．０の範囲である請求項１から４のいずれか一項に記載のタオル製品。
【請求項６】  化粧組成物のｐＨが約３．５から約４．５の範囲である請求項５に記載のタオル製品。
【請求項７】  シリコーンミクロエマルジョンがジメチコノールミクロエマルジョンである請求項１から６のいずれか一項に記載のタオル製品。
【請求項８】  ミクロエマルジョン中のシリコーン物質の粒径が約０．０１から約５００ｎｍの範囲である請求項７に記載のタオル製品。
【請求項９】  ミクロエマルジョン中のシリコーン物質の粒径が約５から約５０ｎｍの範囲である請求項８に記載のタオル製品。
【請求項１０】  ヒドロキシカルボン酸が前記組成物の約０．１から約１５重量％の量で存在する請求項１から９のいずれか一項に記載のタオル製品。
【請求項１１】  ミクロエマルジョンが前記組成物の約０．１から約２０重量％の量で存在する請求項１から１０のいずれか一項に記載のタオル製品。
【請求項１２】  ベータ−ヒドロキシカルボン酸がサリチル酸である請求項１から１１のいずれか一項に記載のタオル製品。
【請求項１３】  （ａ）水不溶性基質、
（ｂ）（ｉ）アルファ−、又はベータ−ヒドロキシカルボン酸、
（ｉｉ）低ｐＨで加水分解可能なＣ１０からＣ２０の脂肪酸の群を含む界面活性剤、
（ｉｉｉ）水中でｐＨ６．８以下を有する組成物
を含む前記基質に浸透する組成物
を含むタオル製品。
【請求項１４】  酸が酸塩であり、該塩がアンモニウム、アルカリ，アルカリ土類，アルカノールアンモニウムおよびそれらの混合物より選択された請求項１から１３のいずれか一項に記載のタオル製品。
【手続補正書】
【提出日】平成19年8月8日(2007.8.8)
【手続補正１】
【補正対象書類名】明細書
【補正対象項目名】特許請求の範囲
【補正方法】変更
【補正の内容】
【特許請求の範囲】
【請求項１】  経口投与すべきＰＤＥ４インヒビターまたはＰＤＥ３／４インヒビターグループからのＰＤＥインヒビターと、β2アドレナリン作動性受容体アゴニストとを一定または自由な組合せで組み合わせられて含有する、気道疾患の治療のための薬剤。
【請求項２】  一定の経口組合せ物である、請求項１に記載の薬剤。
【請求項３】  気道疾患の治療において使用するための請求項１または２に記載の薬剤。
【請求項４】  ＰＤＥインヒビターがアロフィリン、シパンフィリン、D-4418、フィラミナスト、イブジラスト、ラプラフィリン、ORG-20241、ピクラミラスト、ロリプラン、SB-207499、チベネラストおよびV-11294Aまたはその塩から成るグループから選択される化合物である、請求項１または２に記載の薬剤。
【請求項５】  ＰＤＥインヒビターがロフルミラスト、その塩および／またはそのＮ−オキシドである、請求項１または２に記載の薬剤。
【請求項６】  ＰＤＥインヒビターがBYK-33043、その塩および／またはそのＮ−オキシドである、請求項１または２に記載の薬剤。
【請求項７】  ＰＤＥインヒビターがロフルミラスト、その塩および／またはそのＮ−オキシドであり、かつβ2アドレナリン作動性受容体アゴニストがサルメテロールまたはその塩である、請求項１または２に記載の薬剤。
【請求項８】  ＰＤＥインヒビターがBYK-33043、その塩および／またはそのＮ−オキシドであり、かつβ2アドレナリン作動性受容体アゴニストがサルメテロールまたはその塩である、請求項１または２に記載の薬剤。
【請求項９】  β2アドレナリン作動性受容体アゴニストがクレンブテロール、オルシプレナリン、サルブタモール、テルブタリン、ツロブテロール、バンブテロールまたはレプロテロールまたはその塩である、請求項１または２に記載の薬剤。
【請求項１０】  ＰＤＥインヒビターがアロフィリン、シパンフィリン、D-4418、フィラミナスト、イブジラスト、ラプラフィリン、ORG-20241、ピクラミラスト、ロリプラン、SB-207499、チベネラストまたはV-11294Aまたはその塩であり、かつβ2アドレナリン作動性受容体アゴニストがクレンブテロール、オルシプレナリン、サルブタモール、テルブタリン、ツロブテロール、バンブテロールまたはレプロテロールまたはその塩である、請求項１または２に記載の薬剤。
【請求項１１】  ＰＤＥインヒビターがロフルミラストまたはBYK-33043、それらの塩および／またはそれらのＮ−オキシドであり、かつβ2アドレナリン作動性受容体アゴニストがクレンブテロール、オルシプレナリン、サルブタモール、テルブタリン、ツロブテロール、バンブテロールまたはレプロテロールまたはその塩である、請求項１または２に記載の薬剤。
【手続補正書】
【提出日】平成19年8月13日(2007.8.13)
【手続補正１】
【補正対象書類名】明細書
【補正対象項目名】特許請求の範囲
【補正方法】変更
【補正の内容】
【特許請求の範囲】
【請求項１】  寄生虫を殺生する方法であって、約２５ダイン／センチメートル（２０℃）未満の表面張力を有する潤滑剤を寄生虫に対して適用し、該潤滑剤を該虫寄生部に、全ての虫の完全殺生を可能にするのに十分な時間残存させる工程を含む該方法。
【請求項２】  潤滑剤が約２００センチストークス（２０℃）より高い粘度を有する請求項１に記載の方法。
【請求項３】  潤滑剤がジメチルポリシロキサンを含む請求項１又は２に記載の方法。
【請求項４】  寄生虫が動物におけるシラミ、マダミ及びノミである請求項１から３のいずれか１項記載の方法。
【請求項５】  シラミがアタマジラミ、コロモジラミ又はケジラミである請求項４に記載の方法。
【請求項６】  約２５ダイン／センチメートル（２０℃）未満の表面張力を有する潤滑剤を５０容量％より多く含む、身体への虫寄生を治療するための化学的配合物。
【請求項７】  シャンプーである請求項６に記載の化学的配合物。
【手続補正書】
【提出日】平成19年10月17日(2007.10.17)
【手続補正１】
【補正対象書類名】明細書
【補正対象項目名】特許請求の範囲
【補正方法】変更
【補正の内容】
【特許請求の範囲】
【請求項１】
少なくとも一つの凍結乾燥した抗原性成分および溶解助剤を含有してなる、安定な圧縮されたワクチン組成物。
【請求項２】
請求項１に記載のワクチン組成物であって、前記圧縮されたワクチン組成物は硬質錠剤の形態である組成物。
【請求項３】
請求項１に記載のワクチン組成物であって、完全かつ迅速に水に溶解する組成物。
【請求項４】
請求項１に記載のワクチン組成物であって、滅菌されている組成物。
【請求項５】
請求項１に記載のワクチン組成物であって、前記溶解助剤は発泡剤もしくは一対の発泡剤、崩壊剤、表面活性剤または可溶化剤である組成物。
【請求項６】
請求項５に記載のワクチン組成物であって、前記溶解助剤は一対の発泡剤である組成物。
【請求項７】
請求項１に記載のワクチン組成物であって、前記凍結乾燥された成分は当該組成物の80重量％以下である組成物。
【請求項８】
請求項１に記載のワクチン組成物であって、前記組成物は希釈剤と接触したときに80秒以内で完全に溶解することを特徴とするワクチン。
【請求項９】
請求項８に記載のワクチン組成物であって、前記完全な溶解は、組成物に対する希釈剤の比率が、組成物200mg当り希釈剤0.5mL〜組成物400mg当り希釈剤100mLのときに生じる組成物。
【請求項１０】
請求項１に記載のワクチン組成物であって、前記組成物の安定性は、37℃で5日後の力価喪失が109.7EID50/mLと109.2EID50/mLの間の差以下であること、または4℃で9ヶ月後の力価喪失が109.7EID50/mLと109.3EID50/mLの間の差以下であることを特徴とする組成物。
【請求項１１】
請求項１に記載のワクチン組成物であって、前記抗原性成分は、使用前に凍結温度以下の乾燥窒素雰囲気下で維持された、予め力価測定された凍結乾燥物である組成物。
【請求項１２】
請求項１に記載のワクチン組成物であって、前記抗原性成分は、完全なウイルスまたは完全な微生物である組成物。
【請求項１３】
請求項１に記載のワクチン組成物であって、前記抗原性成分は、生バクテリアまたは生ウイルスである組成物。
【請求項１４】
請求項１３に記載のワクチン組成物であって、更に、抗原性成分の存在を示すインジケータを含有する組成物。
【請求項１５】
請求項１に記載のワクチン組成物であって、前記抗原性成分がリポ多糖またはタンパク質である組成物。
【請求項１６】
請求項１４に記載のワクチン組成物であって、前記抗原性成分は、ニューカッスル病ウイルス、ニューカッスル病VH株、伝染性ファブリーキウス嚢病ウイルス、家禽ポックスウイルス、喉頭気管炎ウイルス、鳥類の伝染性気管支炎ウイルス、ガンボロウインターフィールド病ウイルス、伝染性気管支炎（IB-H120）、ヒツジポックスウイルス、牛疫ウイルス、およびこれらの一以上の混合物からなる群から選ばれる生ウイルスであり、天然に存在するウイルス、組換えウイルスまたは修飾されたウイルスの何れかであるか；または、
前記抗原性成分は、炭疽芽胞、サルモネラSPP、大腸菌、およびこれらの一以上の混合物からなる群から選択され、天然に存在するもの、組換え体または修飾体の何れかであるか；または、
前記抗原性成分は生ウイルスであり、更に、前記組成物は、該ウイルスに対する中和抗体を含有する組成物。
【請求項１７】
疾患に対する保護を与えるための請求項１、３、８、９、または１６の何れか1項に記載のワクチン組成物の使用であって、希釈剤で溶解することにより、対象を疾患に対して免疫感作するための溶液を形成する工程を含む使用。
【請求項１８】
請求項１７に記載の使用であって、前記溶液は、注射、前記溶液から形成されたエアロゾル、点眼液の形態、または経口摂取により投与するために配合される使用。
【請求項１９】
請求項１７に記載の使用であって、前記溶液は、in-ovoで前記対象に投与するために配合される使用。
【請求項２０】
請求項１または１４に記載のワクチン組成物を含むパッケージ。
【請求項２１】
前記パッケージがブリスターパックおよび滅菌シリンジからなる群より選択される、請求項２０に記載のパッケージ。
【請求項２２】
真空または不活性ガスを充填したバイアルである、請求項20に記載のパッケージ。
【請求項２３】
前記パッケージがサシェである、請求項20に記載のパッケージ。
【請求項２４】
緻密化されたワクチン組成物を含む滅菌シリンジであって、前記ワクチン組成物は、請求項1〜16の何れか1項に記載のワクチン組成物を含んでなる滅菌シリンジ。
【請求項２５】
以下の工程を含んでなるワクチン溶液の使用：
（a）疾患に対する保護を与えるためのワクチン組成物であって、少なくとも1の凍結乾燥された抗原性成分および溶解助剤を含有する安定な圧縮されたワクチン組成物を、希釈剤で溶解して溶液を形成する工程と；
（b）得られた溶液を、前記疾患に対して哺乳動物を免疫感作するのに有効な量で哺乳動物に投与する工程。
【請求項２６】
請求項25に記載の使用であって、前記哺乳動物は、ヒト、ウシ、およびヒツジからなる群より選択される使用。
【請求項２７】
少なくとも1の凍結乾燥された抗原性成分、第2の凍結乾燥された成分、および溶解助剤を含有する安定な圧縮されたワクチン組成物であって、前記第2の凍結乾燥された成分が前記凍結乾燥された抗原性成分に対する中和抗体を含有するワクチン組成物。
【請求項２８】
請求項27に記載の安定な圧縮されたワクチン組成物であって、
（a）少なくとも1の抗原性成分を凍結乾燥する工程と；
（b）前記抗原性成分に対する中和抗体を前記抗原性成分とは別々に凍結乾燥する工程と；
（c）凍結乾燥された抗原性成分および凍結乾燥された中和抗体のそれぞれの力価を測定する工程と；
（d）ステップ(c)で得られた力価に基づいて決定された割合で、前記凍結乾燥された抗原性成分と前記凍結乾燥された中和抗体とを混合する工程と；
（e）前記凍結乾燥された抗原性成分と前記凍結乾燥された中和抗体との混合物を、少なくとも1の溶解助剤とともに圧縮することにより、安定な圧縮されたワクチン組成物を形成する工程とを含んでなる方法により製造されるワクチン組成物。
【請求項２９】
（a）少なくとも1の抗原性成分を凍結乾燥する工程と；
（b）前記抗原性成分に対する中和抗体を前記抗原性成分とは別々に凍結乾燥する工程と；
（c）凍結乾燥された抗原性成分および凍結乾燥された中和抗体のそれぞれの力価を測定する工程と；
（d）ステップ(c)で得られた力価に基づいて決定された割合で、前記凍結乾燥された抗原性成分と前記凍結乾燥された中和抗体とを混合する工程と；
（e）前記凍結乾燥された抗原性成分と前記凍結乾燥された中和抗体との混合物を、少なくとも1の溶解助剤とともに圧縮することにより、安定な圧縮されたin-ovoのワクチン組成物を形成する工程とにより調製されるワクチン溶液の使用。
【手続補正書】
【提出日】平成19年7月27日(2007.7.27)
【手続補正１】
【補正対象書類名】明細書
【補正対象項目名】請求項１
【補正方法】変更
【補正の内容】
【請求項１】
【請求項１】哺乳動物の虚血を治療する方法であって、
ピリドキサール−５’−リン酸、ピリドキサール、ピリドキサミン、３−アシル化ピリドキサール類似体、それらの医薬として許容される酸付加塩、およびそれらの混合物から成る群より選択された化合物と、
アンジオテンシン変換酵素阻害剤、アンジオテンシンII受容体拮抗薬、カルシウムチャネル遮断薬、抗血栓症薬、β−アドレナリン作動性受容体拮抗薬、利尿薬、α−アドレナリン作動性受容体拮抗薬、およびそれらの混合物から成る群より選択された治療用心血管化合物と、
の治療上有効量の組み合わせを哺乳動物に同時に投与する工程から成る方法。
【手続補正２】
【補正対象書類名】明細書
【補正対象項目名】請求項２２
【補正方法】変更
【補正の内容】
【請求項２２】哺乳動物の心筋梗塞を治療する方法であって、
ピリドキサール−５’−リン酸、ピリドキサール、ピリドキサミン、３−アシル化ピリドキサール類似体、それらの医薬として許容される酸付加塩およびそれらの混合物から成る群より選択された化合物と、
アンジオテンシン変換酵素阻害剤、カルシウムチャネル遮断薬、抗血栓症薬、β−アドレナリン作動性受容体拮抗薬、利尿薬、α−アドレナリン作動性受容体拮抗薬、およびそれらの混合物から成る群より選択された治療用心血管化合物と、
の治療上有効量の組み合わせを哺乳動物に同時に投与する工程から成る方法。
【手続補正３】
【補正対象書類名】明細書
【補正対象項目名】請求項４５
【補正方法】変更
【補正の内容】
【請求項４５】哺乳動物の高血圧を治療する方法であって、
ピリドキサール−５’−リン酸、ピリドキサール、ピリドキサミン、３−アシル化ピリドキサール類似体、それらの医薬として許容される酸付加塩およびそれらの混合物から成る群より選択された化合物と、
アンジオテンシン転換酵素阻害剤、カルシウムチャネル遮断薬、β−アドレナリン作動性受容体拮抗薬、血管拡張剤、利尿薬、α−アドレナリン作動性受容体拮抗薬、およびそれらの混合物から成る群より選択された治療用心血管化合物と、
の治療上有効量の組み合わせを哺乳動物に同時に投与する工程から成る方法。
【手続補正４】
【補正対象書類名】明細書
【補正対象項目名】請求項７５
【補正方法】変更
【補正の内容】
【請求項７５】哺乳動物の心筋虚血を治療する方法であって、
ピリドキサール−５’−リン酸、ピリドキサール、ピリドキサミン、３−アシル化ピリドキサール類似体、それらの医薬として許容される酸付加塩およびそれらの混合物から成る群より選択された化合物と、
アンジオテンシン変換酵素阻害剤、アンジオテンシンII受容体拮抗薬、カルシウムチャネル遮断薬、抗血栓症薬、β−アドレナリン作動性受容体拮抗薬、利尿薬、α−アドレナリン作動性受容体拮抗薬、およびそれらの混合物から成る群より選択された治療用心血管化合物と、
の治療上有効量の組み合わせを哺乳動物に同時に投与する工程から成る方法。
【手続補正５】
【補正対象書類名】明細書
【補正対象項目名】０００７
【補正方法】変更
【補正の内容】
【０００７】
血管拡張剤、アンジオテンシンII受容体拮抗薬、アンジオテンシン変換酵素阻害剤、利尿薬、抗血栓症薬、β−アドレナリン作動性受容体拮抗薬、α−アドレナリン作動性受容体拮抗薬、カルシウムチャネル遮断薬、およびその他の同等物のような既知の活性成分を使用する薬物療法が、心不全およびその関連疾病の治療に有効である。もちろん、治療に使用される薬はいかなるものであっても、副作用を生じさせる可能性がある。例えば、血管拡張剤は、低血圧、心筋梗塞、および有害な免疫応答を生じさせ得る。アンジオテンシンII受容体拮抗薬およびアンジオテンシン変換酵素阻害剤にはしばしば副作用として、急性腎不全、胎児性電位、タンパク尿、肝細胞毒および糖尿に関連している。同様に、カルシウムチャネル遮断薬に関連する一般的副作用には、低血圧、周辺浮腫および肺水腫が含まれる。β−アドレナリン作動性受容体拮抗薬および利尿薬は、利尿薬の場合の性不能症、痛風、および筋痙攣と、β−アドレナリン作動性受容体拮抗薬の場合の左心室機能の低下および突然離脱症候群とに加えて、非ステロイド性抗炎症薬との配合禁忌に関連している。さらに、α−アドレナリン作動性受容体拮抗薬に関連する副作用には、起立性低血圧が含まれ、抗血栓症薬に関連する副作用には、過剰出血が含まれる。
【手続補正６】
【補正対象書類名】明細書
【補正対象項目名】００４９
【補正方法】変更
【補正の内容】
【００４９】
例えば、心筋虚血は、例えばアンジオテンシン変換酵素阻害剤、アンジオテンシンII受容体拮抗薬、カルシウムチャネル遮断薬、抗血栓症薬、β−アドレナリン作動性受容体拮抗薬、利尿薬、α−アドレナリン作動性受容体拮抗薬、またはそれらの混合物の投与によって治療され得る。いくつかの例では、鬱血性心不全は、例えばアンジオテンシン変換酵素阻害剤、アンジオテンシンII受容体拮抗薬、カルシウムチャネル遮断薬、血管拡張剤、利尿薬、またはそれらの混合物の投与によって治療され得る。
【手続補正７】
【補正対象書類名】明細書
【補正対象項目名】００５０
【補正方法】変更
【補正の内容】
【００５０】
心筋梗塞は、例えばアンジオテンシン変換酵素阻害剤、カルシウムチャネル遮断薬、抗血栓症薬、β−アドレナリン作動性受容体拮抗薬、利尿薬、α−アドレナリン作動性受容体拮抗薬、またはそれらの混合物の投与によって治療され得る。
【手続補正８】
【補正対象書類名】明細書
【補正対象項目名】００８０
【補正方法】変更
【補正の内容】
【００８０】
精製固形物を実施例２に従って分析し、その純度を実施例１に従って確認した。
実施例５：ピリドキサール（２−メチル−３−β−ナフトイルオキシ）−４−ホルミル−５−ヒドロキシメチルピリジンの３−β−ナフトエ酸塩の合成
【手続補正９】
【補正対象書類名】明細書
【補正対象項目名】０１１７
【補正方法】変更
【補正の内容】
【０１１７】
図１３〜１６は、Ｐ−５−Ｐ処理が単独でまたはベラパミル、アスピリン、カプトプリルまたはプロプラノロールのそれぞれと組み合わせて与えられた群の弛緩速度（−ｄＰ／ｄｔ）に、Ｐ−５−Ｐが有意な有益な影響を及ぼすことを実証している。
【手続補正１０】
【補正対象書類名】明細書
【補正対象項目名】０１３２
【補正方法】削除
【補正の内容】
【手続補正書】
【提出日】平成19年4月16日(2007.4.16)
【手続補正１】
【補正対象書類名】明細書
【補正対象項目名】特許請求の範囲
【補正方法】変更
【補正の内容】
【特許請求の範囲】
【請求項１】  治療、予防または診断を必要とする患者の肺系への薬物送達のための医薬の製造における、治療薬、予防薬もしくは診断薬またはそれらのいずれかの組合せとアミノ酸またはその塩とを含有してなり、約０．４ｇ／ｃｍ3 未満のタップ密度および約５ミクロンから約３０ミクロンのメジアン幾何学直径を有する粒子の使用。
【請求項２】  粒子が、約１から約５ミクロンの空気力学的直径を有する請求項１記載の使用。
【請求項３】  呼吸系への送達が、深肺、中心気道、または上気道への送達を含む請求項１記載の使用。
【請求項４】  アミノ酸が疎水性である請求項１記載の使用。
【請求項５】  疎水性アミノ酸が、ロイシン、イソロイシン、アラニン、バリンおよびフェニルアラニンからなる群より選ばれる請求項４記載の使用。
【請求項６】  疎水性アミノ酸が粒子中に少なくとも１０重量％の量で存在する請求項１記載の使用。
【請求項７】  治療薬、予防薬または診断薬が、粒子中に約１重量％から約９０重量％の範囲の量で存在する請求項１記載の使用。
【請求項８】  粒子が界面活性剤を含有してなる請求項１記載の使用。
【請求項９】  粒子がリン脂質を含有してなる請求項１記載の使用。
【請求項１０】  リン脂質が肺に対して内因性である請求項９記載の使用。
【請求項１１】  リン脂質が、ホスファチジルコリン類、ホスファチジルエタノールアミン類、ホスファチジルグリセロール類、ホスファチジルセリン類、ホスファチジルイノシトール類およびそれらの組合せからなる群より選ばれる請求項９記載の使用。
【請求項１２】  （ａ）治療薬、予防薬もしくは診断薬またはそれらのいずれかの組合せとアミノ酸またはその塩とを含んでなる混合物を形成する工程；ならびに
（ｂ）該混合物を噴霧乾燥して、約０．４ｇ／ｃｍ3 未満のタップ密度および約５ミクロンから約３０ミクロンのメジアン幾何学直径を有する粒子を製造する工程、
を含む、０．４ｇ／ｃｍ3 未満のタップ密度および約５ミクロンから約３０ミクロンのメジアン幾何学直径を有する粒子の調製方法。
【請求項１３】  粒子が、約１から約５ミクロンの空気力学的直径を有する請求項１２記載の方法。
【請求項１４】  アミノ酸が疎水性である請求項１２記載の方法。
【請求項１５】  疎水性アミノ酸が、ロイシン、イソロイシン、アラニン、バリン、フェニルアラニンおよびそれらのいずれかの組合せからなる群より選ばれる請求項１４記載の方法。
【請求項１６】  疎水性アミノ酸が、粒子中に少なくとも１０重量％の量で存在する請求項１３記載の方法。
【請求項１７】  治療薬、予防薬または診断薬が、粒子中に約１から約９０重量％の範囲の量で存在する請求項１２記載の方法。
【請求項１８】  混合物が界面活性剤を含有してなる請求項１２記載の方法。
【請求項１９】  混合物がリン脂質を含有してなる請求項１２記載の方法。
【請求項２０】  リン脂質が肺に対して内因性である請求項１９記載の方法。
【請求項２１】  リン脂質が、ホスファチジルコリン類、ホスファチジルエタノールアミン類、ホスファチジルグリセロール類、ホスファチジルセリン類、ホスファチジルイノシトール類およびそれらの組合せからなる群より選ばれる請求項１９記載の方法。
【請求項２２】  混合物が有機溶媒または有機溶媒と水性溶媒とを含む共溶媒を含有してなる請求項１２記載の方法。
【請求項２３】  請求項１２記載の方法により製造された粒子。
【請求項２４】  治療薬、予防薬もしくは診断薬またはそれらのいずれかの組合せとアミノ酸またはその塩とを含有してなり、約０．４ｇ／ｃｍ3 未満のタップ密度および約５ミクロンから約３０ミクロンのメジアン幾何学直径を有する粒子。
【請求項２５】  約１から約５ミクロンの空気力学的直径を有する請求項２４記載の粒子。
【請求項２６】  アミノ酸が疎水性である請求項２４記載の粒子。
【請求項２７】  疎水性アミノ酸が、ロイシン、イソロイシン、アラニン、バリン、フェニルアラニンおよびそれらのいずれかの組合せからなる群より選ばれる請求項２６記載の粒子。
【請求項２８】  アミノ酸が、粒子中に少なくとも１０重量％の量で存在する請求項２４記載の粒子。
【請求項２９】  治療薬、予防薬または診断薬が、粒子中に約１重量％から約９０重量％の範囲の量で存在する請求項２４記載の粒子。
【請求項３０】  界面活性剤をさらに含有してなる請求項２４記載の粒子。
【請求項３１】  リン脂質をさらに含有してなる請求項２４記載の粒子。
【請求項３２】  リン脂質が肺に対して内因性である請求項３１記載の粒子。
【請求項３３】  リン脂質が、ホスファチジルコリン類、ホスファチジルエタノールアミン類、ホスファチジルグリセロール類、ホスファチジルセリン類、ホスファチジルイノシトール類およびそれらの組合せからなる群より選ばれる請求項３１記載の粒子。
【請求項３４】  リン脂質およびアミノ酸またはその塩を含有してなり、約０．４ｇ／ｃｍ3 未満のタップ密度を有する粒子。
【請求項３５】  治療薬、予防薬または診断薬をさらに含有してなる請求項３４記載の粒子。
【請求項３６】  約５ミクロンから約３０ミクロンのメジアン幾何学直径を有する請求項３４記載の粒子。
【請求項３７】  約１から約５ミクロンの空気力学的直径を有する請求項３４記載の粒子。
【請求項３８】  アミノ酸が疎水性である請求項３４記載の粒子。
【請求項３９】  疎水性アミノ酸が、ロイシン、イソロイシン、アラニン、バリン、フェニルアラニンおよびそれらのいずれかの組合せからなる群より選ばれる請求項３８記載の粒子。
【請求項４０】  アミノ酸が、粒子中に少なくとも１０重量％の量で存在する請求項３４記載の粒子。
【請求項４１】  リン脂質が、粒子中に約１０から６０重量％の範囲の量で存在する請求項３４記載の粒子。
【請求項４２】  リン脂質が肺に対して内因性である請求項３４記載の粒子。
【請求項４３】  リン脂質が、ホスファチジルコリン類、ホスファチジルエタノールアミン類、ホスファチジルグリセロール類、ホスファチジルセリン類、ホスファチジルイノシトール類およびそれらの組合せからなる群より選ばれる請求項３４記載の粒子。
【請求項４４】  治療薬、予防薬もしくは診断薬またはそれらのいずれかの組合せとアミノ酸またはその塩とを含有してなり、約０．４ｇ／ｃｍ3 未満のタップ密度および約５ミクロンから約３０ミクロンのメジアン幾何学直径を有する粒子を含有してなる、肺系への薬物送達用組成物。
【手続補正書】
【提出日】平成19年3月9日(2007.3.9)
【手続補正１】
【補正対象書類名】明細書
【補正対象項目名】特許請求の範囲
【補正方法】変更
【補正の内容】
【特許請求の範囲】
【請求項１】
一般式
【化１】
2003507423.tif 000001
（式中Ｙは１〜４の炭素原子を有するアルコキシ基、ヒドロキシル基、アミノ基、ハライド基又はニトロ基を、Ｘはヒドロキシル基、アミノ基、ハライド基、ニトロ基、アルコキシ基又はエステル基を、nは０又は１を示す）
で表される化合物の飼育動物の寄生虫感染症の治療のための使用。
【請求項２】
Ｐｓｏｒｏｐｔｅｓ ｓｐ．、Ｓａｒｃｏｐｔｅｓ ｓｐ．、Ｄｅｒｍａｎｙｓｓｕｓ ｇａｌｌｉｎａｅ及びＶａｒｒｏａ ｊａｃｏｂｓｏｎｉ ｏｕｄｅｍａｎｓ(Ｖａｒｒｏａ ｄｅｓｔｒｕｃｔｏｒ）よりなる群から選ばれる寄生虫感染症の治療のための、請求項１に記載の化合物の使用。
【請求項３】
飼育動物に対する、Ｐｓｏｒｏｐｔｅｓ ｓｐ．及びＳａｒｃｏｐｔｅｓ ｓｐ．による感染症を併合治療するための、請求項１または２に記載の化合物の使用。
【請求項４】
クロバエの卵によって生じる感染症を治療するための、請求項１〜３のいずれかに記載の化合物の使用。
【請求項５】
疥癬ダニによる感染症及びハエの寄生を併合治療するための、請求項４に記載の化合物の使用。
【請求項６】
化合物がトランス−ケイ皮酸エチルエステルである、請求項１〜５のいずれかに記載の化合物の使用。
【請求項７】
化合物が希釈可能なエマルジョンとして提供される、請求項１〜６のいずれかに記載の化合物の使用。
【請求項８】
乳化剤がラウリル硫酸ナトリウム、トリトン‐Ｘ‐１００又はレシチンである、請求項７に記載の化合物の使用
【請求項９】
乳化剤が１〜５質量％の量で含有されている、請求項８に記載の化合物の使用。
【請求項１０】
製剤の３質量％が乳化剤である、請求項９に記載の化合物の使用。
【請求項１１】
エマルジョンをスプレーとして適用する、請求項７〜１０のいずれかに記載の化合物の使用。
【請求項１２】
エマルジョンを浸液として適用する、請求項７〜１０のいずれかに記載の化合物の使用。
【請求項１３】
希釈浸液エマルジョンが０．１〜１０％の濃度の活性化合物を含有している、請求項１２に記載の化合物の使用。
【請求項１４】
化合物が局部適用のため油軟膏又は水性クリームに含有されている、請求項１〜７のいずれかに記載の化合物の使用。
【請求項１５】
ウイックをベースとする蒸発器によって、寄生虫を殺傷するのに十分な濃度で、かつ、被感染生物に対しては毒性効果を与えないように被寄生生物に化合物が導入される、請求項１〜７のいずれかに記載の化合物の使用。
【請求項１６】
他の活性剤との併用による、請求項１〜１５のいずれかに記載の化合物の使用。
【請求項１７】
他の薬剤がプロピオン酸アリルである、請求項１６に記載の化合物の使用。
【請求項１８】
一般式
【化３】
2003507423.tif 000002
（式中Ｙは１〜４の炭素原子を有するアルコキシ基、ヒドロキシル基、アミノ基、ハライド基又はニトロ基を、Ｘはヒドロキシル基、アミノ基、ハライド基、ニトロ基、アルコキシ基又はエステル基を、nは０又は１を示す）
で表される化合物を飼育動物へ適用し、寄生虫を破壊することを含む飼育動物に対する寄生虫感染症を治療するための方法。
【請求項１９】
Ｐｓｏｒｏｐｔｅｓ ｓｐ．、Ｓａｒｃｏｐｔｅｓ ｓｐ．、Ｄｅｒｍａｎｙｓｓｕｓ ｇａｌｌｉｎａｅ及びＶａｒｒｏａ ｊａｃｏｂｓｏｎｉ ｏｕｄｅｍａｎｓ(Ｖａｒｒｏａ ｄｅｓｔｒｕｃｔｏｒ）よりなる群から選ばれる寄生虫による感染症の治療のための請求項１８に記載の方法。
【請求項２０】
飼育動物に対する、Ｐｓｏｒｏｐｔｅｓ ｓｐ．及びＳａｒｃｏｐｔｅｓ ｓｐ．による感染症を併合治療するための、請求項１９に記載の方法。
【請求項２１】
クロバエの卵によって生じる感染症を治療するための、請求項１８〜２０のいずれかに記載の方法。
【請求項２２】
疥癬ダニによる感染症及びハエの寄生を併合治療するための、請求項２１に記載の方法。
【請求項２３】
化合物がトランス−ケイ皮酸エチルエステルである、請求項１８〜２２のいずれかに記載の方法。
【請求項２４】
化合物が希釈可能なエマルジョンとして提供される、請求項１８〜２３のいずれかに記載の方法。
【請求項２５】
乳化剤がラウリル硫酸ナトリウム、トリトン‐Ｘ‐１００又はレシチンである、請求項２４に記載の方法。
【請求項２６】
エマルジョンをスプレーとして適用する、請求項２４又は２５に記載の方法。
【請求項２７】
エマルジョンを浸液として適用する、請求項２４又は２５に記載の方法。
【請求項２８】
化合物が局部適用のため油軟膏又は水性クリームに含有されている、請求項１８〜２３のいずれかに記載の方法。
【請求項２９】
ウイックをベースとする蒸発器によって、寄生虫を殺傷するのに十分な濃度で、かつ、被感染生物に対しては毒性効果を与えないように被寄生生物に化合物が導入される、請求項１８〜２３のいずれかに記載の方法。
【請求項３０】
他の活性剤との併用による、請求項１８〜２９のいずれかに記載の方法。
【請求項３１】
他の薬剤がプロピオン酸アリルである、請求項３０に記載の方法。
【請求項３２】
一般式
【化４】
2003507423.tif 000003
（式中Ｙは１〜４の炭素原子を有するアルコキシ基、ヒドロキシル基、アミノ基、ハライド基又はニトロ基を、Ｘはヒドロキシル基、アミノ基、ハライド基、ニトロ基、アルコキシ基又はエステル基を、nは０又は１を示す）
で表される化合物並びにラウリル硫酸ナトリウム、トリトン‐Ｘ‐１００及びレシチンよりなる群から選ばれる乳化剤を含有する飼育動物の寄生虫感染症の治療のための組成物。
【請求項３３】
乳化剤が１〜５質量％の量で含有されている、請求項３２に記載の組成物。
【請求項３４】
組成物の３質量％が乳化剤である、請求項３２に記載の組成物。
【請求項３５】
０．１〜１０％の濃度の活性化合物を含有している、請求項３２〜３４に記載の組成物。
【請求項３６】
さらにプロピオン酸アリルを含有する、請求項３２〜３５に記載の組成物。
【請求項３７】
活性化合物がトランス−ケイ皮酸エチルエステルである、請求項３２〜３６のいずれかに記載の組成物。
【手続補正書】
【提出日】平成19年8月9日(2007.8.9)
【手続補正１】
【補正対象書類名】明細書
【補正対象項目名】特許請求の範囲
【補正方法】変更
【補正の内容】
【特許請求の範囲】
【請求項１】    トラマドール物質及び抗痙攣薬が約１：１から約３００：１もしくは約１：１から約１：３００のそれらそれぞれのＥＤ50値のほんの一部分に基づいた比率で存在する、トラマドール物質と抗痙攣薬の組み合わせ物を含んで成る製薬学的組成物。
【請求項２】  トラマドール物質及び抗痙攣薬が約１：１から約１００：１もしくは約１：１から約１：１００のそれらそれぞれのＥＤ50値のほんの一部分に基づいた比率で存在する、請求項１の製薬学的組成物。
【請求項３】  トラマドール物質及び抗痙攣薬が約１：１から約３０：１もしくは約１：１から約１：３０のそれらそれぞれのＥＤ50値のほんの一部分に基づいた比率で存在する、請求項１の製薬学的組成物。
【請求項４】  トラマドール物質が、
（１Ｒ，２Ｒ）−２−［（ジメチルアミノ）メチル］−１−（３−メトキシフェニル）−シクロヘキサノール、
（１Ｓ，２Ｓ）−２−［（ジメチルアミノ）メチル］−１−（３−メトキシフェニル）−シクロヘキサノール、
（１Ｒ，２Ｒ）−２−［（ジメチルアミノ）メチル］−１−（３−メトキシフェニル）−シクロヘキサノール及び（１Ｓ，２Ｓ）−２−［（ジメチルアミノ）メチル］−１−（３−メトキシフェニル）−シクロヘキサノールのラセミ混合物、
（１Ｒ，２Ｒ）−２−［（ジメチルアミノ）メチル］−１−（３−メトキシフェニル）−シクロヘキサノールのＮ−オキシド誘導体、
（１Ｓ，２Ｓ）−２−［（ジメチルアミノ）メチル］−１−（３−メトキシフェニル）−シクロヘキサノールのＮ−オキシド誘導体、
（１Ｒ，２Ｒ）−２−［（ジメチルアミノ）メチル］−１−（３−メトキシフェニル）−シクロヘキサノールのＮ−オキシド誘導体及び（１Ｓ，２Ｓ）−２−［（ジメチルアミノ）メチル］−１−（３−メトキシフェニル）−シクロヘキサノールのＮ−オキシド誘導体のラセミ混合物、
（１Ｒ，２Ｒ）−２−［（ジメチルアミノ）メチル］−１−（３−メトキシフェニル）−シクロヘキサノールのＯ−デスメチル誘導体、
（１Ｓ，２Ｓ）−２−［（ジメチルアミノ）メチル］−１−（３−メトキシフェニル）−シクロヘキサノールのＯ−デスメチル誘導体、
（１Ｒ，２Ｒ）−２−［（ジメチルアミノ）メチル］−１−（３−メトキシフェニル）−シクロヘキサノールのＯ−デスメチルド誘導体及び（１Ｓ，２Ｓ）−２−［（ジメチルアミノ）メチル］−１−（３−メトキシフェニル）−シクロヘキサノールのＯ−デスメチル誘導体のラセミ混合物、
それらの溶媒化合物、多形及び製薬学的に許容できる塩、
から成る群から選択される、請求項１の製薬学的組成物。
【請求項５】  トラマドール物質が塩酸トラマドールである、請求項４の製薬学的組成物。
【請求項６】  塩酸トラマドールがラセミ体である、請求項５の製薬学的組成物。
【請求項７】  塩酸トラマドールがエナンチオマーである、請求項６の製薬学的組成物。
【請求項８】  トラマドール物質がＯ−デスメチルトラマドールである、請求項４の製薬学的組成物。
【請求項９】  Ｏ−デスメチルトラマドールがラセミ体である、請求項８の製薬学的組成物。
【請求項１０】  Ｏ−デスメチルトラマドールがエナンチオマーである、請求項９の製薬学的組成物。
【請求項１１】  抗痙攣薬が、トピラメート、ＲＷＪ−３３３３６９、ガバペンチン、ラモトリジン、プレガバリン、カルバマゼピン、フェニトイン、ホスフェニトイン、メフェニトイン、エトトイン、バルプロン酸（valproic acid）、ファモチジン、フェノバルビタール、メホバルビタール、メタルビタール（metharbital）、ジフェニルヒダントイン、プリミドン、エトスクシミド、メトスクシミド、フェンスクシミド、トリメサジオン、ベンゾジアゼピン、フェナセミド、アセタゾールアミド、プロガビド、クロナゼパム、ジヴァルプレックス（divalpraex）ナトリウム、マグネシウム硫酸塩注射、パラメサジオン、フェニトインナトリウム、バルプロン酸ナトリウム、クロバザム、スルチエーム、ジランチン、ジフェニラン及びＬ−５−ヒドロキシトリトファン、及びそれらの塩、それらの錯体及び前記のいずれかの混合物、からなる群から選択された少なくとも１員である、請求項１の製薬学的組成物。
【請求項１２】  抗痙攣薬がトピラメートである、請求項１１の製薬学的組成物。
【請求項１３】  トラマドール物質及びトピラメートが約１：１から約２０：１のそれらそれぞれのＥＤ50値のほんの一部分に基づいた比率で存在する、請求項１２の製薬学的組成物。
【請求項１４】  トラマドール物質及びトピラメートが約１．５：１から約１０：１のそれらそれぞれのＥＤ50値のほんの一部分に基づいた比率で存在する、請求項１２の製薬学的組成物。
【請求項１５】  トラマドール物質及びトピラメートが約３：１から約５：１のそれらそれぞれのＥＤ50値のほんの一部分に基づいた比率で存在する、請求項１２の製薬学的組成物。
【請求項１６】  抗痙攣薬がガバペンチンである、請求項１１の製薬学的組成物。
【請求項１７】  トラマドール物質及びガバペンチンが約２：１から約２０：１のそれらそれぞれのＥＤ50値のほんの一部分に基づいた比率で存在する、請求項１６の製薬学的組成物。
【請求項１８】  トラマドール物質及びガバペンチンが約９：１から約１５：１のそれらそれぞれのＥＤ50値のほんの一部分に基づいた比率で存在する、請求項１６の製薬学的組成物。
【請求項１９】  抗痙攣薬がラモトリジンである、請求項１１の製薬学的組成物。
【請求項２０】  トラマドール物質及びラモトリジンが約１：２から約１：８のそれらそれぞれのＥＤ50値のほんの一部分に基づいた比率で存在する、請求項１９の製薬学的組成物。
【請求項２１】  トラマドール物質及びラモトリジンが約１：３のそれらそれぞれのＥＤ50値のほんの一部分に基づいた比率で存在する、請求項１９の製薬学的組成物。
【請求項２２】  抗痙攣薬がＲＷＪ−３３３３６９である、請求項１１の製薬学的組成物。
【請求項２３】  トラマドール物質及びＲＷＪ−３３３３６９が約１：１から約２０：１もしくは約１：１から約１：２０のそれらそれぞれのＥＤ50値のほんの一部分に基づいた比率で存在する、請求項２２の製薬学的組成物。
【請求項２４】  トラマドール物質及びＲＷＪ−３３３３６９が約１：１から約１０：１もしくは約１：１から約１：１０のそれらそれぞれのＥＤ50値のほんの一部分に基づいた比率で存在する、請求項２２の製薬学的組成物。
【請求項２５】  トラマドール物質及びＲＷＪ−３３３３６９が約１：１から約４：１もしくは約１：１から約１：４のそれらそれぞれのＥＤ50値のほんの一部分に基づいた比率で存在する、請求項２２の製薬学的組成物。
【請求項２６】  製薬学的に許容できるキャリアを更に含んで成る、請求項１の製薬学的組成物。
【請求項２７】  請求項１〜２６のいずれかに記載の組成物であって、疼痛または神経学的もしくは精神医学的障害の症状を処置するため使用される、上記製薬学的組成物。
【手続補正書】
【提出日】平成19年8月9日(2007.8.9)
【手続補正１】
【補正対象書類名】明細書
【補正対象項目名】特許請求の範囲
【補正方法】変更
【補正の内容】
【特許請求の範囲】
【請求項１】  船外ジェット駆動ボートにおいて、
船尾板（１２）を有する船殻（１１）と、
水の浸入に対して密封され、中にエンジン搭載用プラットホーム（１４）を有するハウジング（１３）であって、前記ハウジング（１３）内には前記プラットホーム（１４）上に支持されてエンジン（１６）が搭載されており、前記ハウジング（１３）には前部側と後部側及び上面と底面があり、その上面には密閉可能な入口が設けられており、前記船殻（１１）の前記船尾板（１２）に取り外し可能に取り付けられているハウジング（１３）と、
前記プラットホーム（１４）下方で前記ハウジング（１３）に取り付けられ、前記エンジン（１６）と概ね平行に延びているジェット駆動ユニット（１７）であって、前記ハウジング（１３）の後部から延び、前記ハウジング（１３）内の前記プラットホーム（１４）上方の前記エンジン（１６）と作動的に連結されているジェット駆動ユニット（１７）と、
前記船殻（１１）内部に配置された主燃料タンク（３３）であって、燃料を前記主燃料タンク（３３）から前記エンジン（１６）に送給するために前記主燃料タンク（３３）を前記エンジン（１６）に接続する燃料管（３５）を有する主燃料タンク（３３）と、を備えており、
これにより、船外ジェット駆動ユニット（１７）とエンジン（１６）が、ボート船殻（１１）の船尾板（１２）に取り外し可能に取り付けられ、別個のハウジング（１３）内に隔離されていることを特徴とする船外ジェット駆動ボート。
【請求項２】  第２の燃料タンク（３８）が、前記ハウジング（１３）に取り付けられ、前記主燃料タンク（３３）と前記エンジン（１６）との間に連結されていることを特徴とする請求項１に記載の船外ジェット駆動ボート。
【請求項３】  前記ハウジング（１３）には、前記ハウジング（１３）を前記ボート船殻（１１）の前記船尾板（１２）に取り付けるために配置された船尾板（１２）ハンギングブラケット（３２）が取り付けられていることを特徴とする請求項２に記載の船外ジェット駆動ボート。
【請求項４】  前記ハウジング（１３）内に取り付けられ、前記第２の燃料タンク（３８）に連結された燃料ポンプ（４１）を含んでいることを特徴とする請求項３に記載の船外ジェット駆動ボート。
【請求項５】  前記ボート船殻（１１）には、前記船殻（１１）から前記エンジン（１６）を制御するための、前記エンジン（１６）とジェット駆動ユニット（１７）に連結されたエンジン制御部が取り付けられていることを特徴とする請求項４に記載の船外ジェット駆動ボート。
【請求項６】  前記ジェット駆動ユニット（１７）は、前記ハウジング（１３）後部側を貫通して設置され、前記前部側及び後部側に取り付けられていることを特徴とする請求項５に記載の船外ジェット駆動ボート。
【請求項７】  前記ボート船殻（１１）に取り付けられ、前記エンジン（１６）を始動させるために前記エンジン（１６）に電気的に接続されているバッテリを有することを特徴とする請求項６に記載の船外ジェット駆動ボート。
【請求項８】  前記エンジン（１６）は、監視用センサを有し、前記ボート船殻（１１）には、前記エンジンセンサと作動的に連結された複数のエンジン計器が取り付けられ、感知されたエンジン状態を前記ボート船殻（１１）の前記エンジン計器に提供することを特徴とする請求項７に記載の船外ジェット駆動ボート。
【請求項９】  前記エンジンを前記ジェット駆動ユニット（１７）に作動的に接続するクラッチ式ベルト駆動機構（２７）を有することを特徴とする請求項７に記載の船外ジェット駆動ボート。
【請求項１０】  前記ハウジング（１３）は水の浸入に対して密封されており、前記ボート船殻（１１）が浮揚状態にあるときには、部分的に水中に延びて前記船殻（１１）に付加的な浮力を提供することを特徴とする請求項９に記載の船外ジェット駆動ボート。
【請求項１１】  前記エンジン（１６）は密封されたエンジン冷却液システムを有しており、これによりエンジン冷却は、ボート船殻（１１）が浮いている水体（water body）からの水に依存しないことを特徴とする請求項１０に記載の船外ジェット駆動ボート。
【請求項１２】  前記エンジン（１６）は、前記ジェット駆動ユニット（１７）に概ね平行な前記搭載用プラットホーム（１４）に搭載されていることを特徴とする請求項５に記載の船外ジェット駆動ボート。
【請求項１３】  前記エンジン（１６）は、前記ジェット駆動ユニット（１７）に対して逆向きに搭載されていることを特徴とする請求項１２に記載の船外ジェット駆動ボート。
【手続補正書】
【提出日】平成19年7月11日(2007.7.11)
【手続補正１】
【補正対象書類名】明細書
【補正対象項目名】特許請求の範囲
【補正方法】変更
【補正の内容】
【特許請求の範囲】
【請求項１】
自動車のエアバッグ機構であり、このエアバッグ機構は、当初ハウジングに納められたエアッバグとこのエアバッグを膨張させる手段とを備え、該エアッグが膨張すると、自動車のフロントシートに着座している者の前側の位置を占めるようになっており、このエアバッグには、膨張すると自動車のフロントシートに着座している者と自動車のウインドスクリーン又はウインドシールドとの間にあって、前記ウインドスクリーン又はウインドシールドの内側に接触するか又はぎりぎりに接近する第１の領域と、前記第１の領域と前記ハウジングとの間に位置する第２の領域とが設けられており、前記エアバッグの第１の領域と前記ウインドスクリーン又はウインドシールドの内面との間の複数の箇所に向けて、前記ウインドスクリーン又はウインドシールドから前記エアバックが離れるように前記エアバッグの内部から加圧状態でガスを放出するガス出口手段が前記第１の領域に設けられているもの。
【請求項２】
ガス出口手段がエアバッグにおける複数の孔からなり、これら孔でエアバッグの内部とエアバッグの外部とを連通させる請求項１によるエアバッグ機構。
【請求項３】
前記孔が非対称に構成されている請求項２によるエアバッグ機構。
【請求項４】
前記孔が異なるサイズである請求項２によるエアバッグ機構。